(57)【特許請求の範囲】
【請求項１】
吸入口と吐出口とを有し、外部の空気を吸入口から吸入して吐出口から吐出させる送風部と、送風部の下流側にて空気を加熱する加熱部と、を備えて成る本体ブロックと、
対を成す放電極および対向電極と、放電極を冷却して水を結露させる冷却部と、当該冷却部から熱を放熱させる放熱部とを有し、放電極と対向電極との間に高電圧を印加することで放電極に保持される水を霧化させる静電霧化ブロックと、
を備え、本体ブロックにより温風の吹出しを可能とし、かつ、静電霧化ブロックによりイオンミストの発生を可能とした加熱送風装置において、
前記本体ブロックの送風部から加熱部に向かう主送風流路から、前記放熱部を臨ませた放熱流路を分岐するとともに、
当該放熱流路を、前記放電極を通過して外方に通ずる第１分岐流路と、放電極をバイパスして外方に通ずる第２分岐流路と、に分岐し、
前記放熱流路では、その上流側から前記放熱部、前記冷却部、前記放電極および対向電極の順に配置し、
この配置方向に沿って、前記放熱部の周囲に形成した送風流路の下流側に連続して該送風流路の流れ方向後方に延びる前記第２分岐流路を形成したことを特徴とする加熱送風装置。
【請求項２】
前記第１分岐流路に、放電極に至る風の方向や風量を調節する風供給調節手段を設け、この風供給調節手段は、前記放電極および対向電極を覆うとともに、対向電極に対応する部位に開口部を備えるカバー部と、このカバー部の上流側の先端と前記放熱部の下流側の基端との間に形成した開口部とを有することを特徴とする請求項１に記載の加熱送風装置。
【請求項３】
前記風供給調節手段は、放電極に至る送風流路を、前記カバー部の上流側の先端と前記放熱部の下流側の基端との間に形成した前記開口部を通して一方向または複数方向とするものであることを特徴とする請求項２に記載の加熱送風装置。
【請求項４】
前記風供給調節手段は、放電極に至る送風流路を部分的に閉塞する遮蔽体であることを特徴とする請求項２に記載の加熱送風装置。
【請求項５】
前記第２分岐流路の排出側を本体ブロックの主送風流路に連通したことを特徴とする請求項１〜４のうちいずれか１つに記載の加熱送風装置。
【発明の詳細な説明】
【技術分野】
【０００１】
本発明は、静電霧化機能を備えた加熱送風装置に関する。
【背景技術】
【０００２】
従来の静電霧化機能を備えた加熱送風装置として、例えばヘアドライヤーがある。かかるヘアドライヤーは、ハウジングに吸入口と吐出口とを形成し、ファンにより外部の空気を吸入口から吸入して吐出口から吐出する空気流路の下流側にヒータを配置し、当該ヒータで空気を加温して吐出口から温風を吐出させるように構成されるとともに、空気流路から分岐したイオン流路にイオン発生部を設け、当該イオン発生部で発生したマイナスイオンをイオン吐出口から吐出させるように構成されている（例えば、特許文献１参照）。
【特許文献１】特開２００２−１９１４２６号公報（第３頁、第１図）
【発明の開示】
【発明が解決しようとする課題】
【０００３】
このようにイオン発生部を備えた加熱送風装置では、イオン発生部で発生したマイナスイオンにミストが付着することにより、毛髪等に潤いを持たせるイオンミストとなるのであるが、この場合に、イオンミストを発生するための水分は、マイナスイオンを発生する放電極の周囲を露点以下の温度となるまで冷却し、空気中の水分を放電極に結露させることで得るようにしている。
【０００４】
そして、放電極と対向電極との間に高電圧を印加することにより、放電極に結露した水滴を、イオンミストとして、イオン流路に導入した空気とともに放出するのであるが、この場合に、イオン流路の空気流を全て放電極側に流すと、その空気流によって放電極が加熱され、放電極の冷却効率が低下して、当該放電極によるナノメータサイズのミストの生成が不安定になってしまうおそれがあった。
【０００５】
そこで、本発明は、放電極を冷却して空気中の水分からイオンミストを生成する場合に、ナノメータサイズのイオンミストをより安定的に生成させることができる加熱送風装置を得るものである。
【課題を解決するための手段】
【０００６】
請求項１の発明にあっては、吸入口と吐出口とを有し、外部の空気を吸入口から吸入して吐出口から吐出させる送風部と、送風部の下流側にて空気を加熱する加熱部と、を備えて成る本体ブロックと、対を成す放電極および対向電極と、放電極を冷却して水を結露させる冷却部と、当該冷却部から熱を放熱させる放熱部とを有し、放電極と対向電極との間に高電圧を印加することで放電極に保持される水を霧化させる静電霧化ブロックと、を備え、本体ブロックにより温風の吹出しを可能とし、かつ、静電霧化ブロックによりイオンミストの発生を可能とした加熱送風装置において、前記本体ブロックの送風部から加熱部に向かう主送風流路から、前記放熱部を臨ませた放熱流路を分岐するとともに、当該放熱流路を、前記放電極を通過して外方に通ずる第１分岐流路と、放電極をバイパスして外方に通ずる第２分岐流路と、に分岐し、前記放熱流路では、その上流側から前記放熱部、前記冷却部、前記放電極および対向電極の順に配置し、この配置方向に沿って、前記放熱部の周囲に形成した送風流路の下流側に連続して該送風流路の流れ方向後方に延びる前記第２分岐流路を形成したことを特徴とする。
【０００７】
請求項２の発明にあっては、上記第１分岐流路に、放電極に至る風の方向や風量を調節する風供給調節手段を設け、この風供給調節手段は、前記放電極および対向電極を覆うとともに、対向電極に対応する部位に開口部を備えるカバー部と、このカバー部の上流側の先端と前記放熱部の下流側の基端との間に形成した開口部とを有することを特徴とする。
【０００８】
請求項３の発明にあっては、上記風供給調節手段は、放電極に至る送風流路を、前記カバー部の上流側の先端と前記放熱部の下流側の基端との間に形成した前記開口部を通して一方向または複数方向とするものであることを特徴とする。
【０００９】
請求項４の発明にあっては、上記風供給調節手段は、放電極に至る送風流路を部分的に閉塞する遮蔽体であることを特徴とする。
【００１０】
請求項５の発明にあっては、上記第２分岐流路の排出側を本体ブロックの主送風流路に連通したことを特徴とする。
【発明の効果】
【００１１】
請求項１の発明によれば、本体ブロックの送風部から加熱部に向かう主送風流路から分岐した放熱流路に静電霧化ブロックを配置したので、静電霧化ブロックの放電極の周囲の空気を常に入れ換えて、冷却部によって放電極に結露する水滴を生成し易くすることができ、かつ、上記放熱流路を、上記放電極を通過して外方に通ずる第１分岐流路と、放電極をバイパスして外方に通ずる第２分岐流路と、に分岐したので、放熱流路を流れる空気流が放電極にあたる流量を減らすことができ、その空気流によって放電極が加熱されてナノメータサイズのミストの生成が不安定になるのを抑制することができる。
【００１２】
請求項２の発明によれば、第１分岐流路に設けた風供給調節手段によって放電極に至る風の方向や風量を調節することができるので、放電極で生成するナノメータサイズのミストの安定性をより高めることができる。
【００１３】
請求項３の発明によれば、放電極に至る送風流路を一方向若しくは複数方向としたので、放電極に至る風の影響をより緻密に制御することができる。
【００１４】
請求項４の発明によれば、風供給調節手段を遮蔽体で構成して、放電極に至る送風流路を部分的に閉塞するようにしたので、風が放電極に直接当たるのを精度良く調整できるため、放電極に水滴をより効率良く結露させることができる。
【００１５】
請求項５の発明によれば、第２分岐流路の排出側を本体ブロックの主送風流路に連通したので、放熱部により熱影響を受けた風を静電霧化ブロックの周囲に滞留させることなく効率良く排出でき、放電極を効率良く冷却することができる。
【発明を実施するための最良の形態】
【００１６】
（第１実施形態）図１は、加熱送風装置の一例であるドライヤーの側面図、図２は、ドライヤーの正面図、図３は、図２中Ａ−Ａ線に沿った拡大断面図、図４は、図３中Ｂ部の拡大断面図である。
【００１７】
本実施形態にかかる加熱送風装置としてのドライヤー１では、図１，図２に示すように、ハウジング２の下部にグリップ３が折り畳み可能に取り付けられるとともに、ハウジング２の後端部には吸入口４が形成され、かつ、ハウジング２の先端部には吐出口５が形成されている。また、ハウジング２の上端部には、吐出口５と方向を同じくしてイオンミストの放出口６が形成されている。
【００１８】
そして、ハウジング２の内部には、図３に示すように、外部の空気を吸入口４から吸入して吐出口５から吐出させる送風部としてのファン１１と、そのファン１１の下流側にて空気を加熱する加熱部としてのヒータ１２と、を備えて成る本体ブロック１０が設けられている。
【００１９】
さらに、ハウジング２の内部には、対を成す放電極２１および対向電極２２と、放電極２１を冷却してその放電極２１に水を結露させる冷却部２３と、その冷却部２３の発生熱を放熱する放熱部２４とを有し、放電極２１と対向電極２２との間に高電圧を印加することで放電極２１に保持される水を霧化させる静電霧化ブロック２０が設けられている。
【００２０】
冷却部２３は、例えばペルチェ素子等の冷却素子を用いて構成され、通電によるペルチェ効果によって放電極２１を冷却するようになっており、また、放熱部２４は、冷却部２３の放熱面側に設けられる放熱フィンによって構成され、冷却部２３によって放電極２１を冷却する際に発生する熱量を放熱部２４によって放熱することにより、放電極２１の冷却効果の低下を防ぐようになっている。
【００２１】
そして、このように冷却部２３によって放電極２１を冷却することにより、当該放電極２１の周囲の空気を冷却して結露点以下の温度まで下げることにより、空気中の水蒸気が放電極２１の表面に水滴となって結露する。
【００２２】
このとき、放電極２１がマイナス電極となって電荷が集中するように、その放電極２１と対向電極２２との間に高電圧を印加することにより、放電極２１に付着した水滴がマイナス電荷を伴って空気中に飛び出し、そして、高電界中を漂う間にレイリー分裂を繰り返して最終的に３〜１００ｎｍ程度のナノイオンミストを生成することができる。
【００２３】
したがって、本体ブロック１０ではファン１１を駆動してヒータ１２に通電することにより、吐出口５から温風の吹出しが可能となり、かつ、静電霧化ブロック２０で発生したイオンミストを放出口６から放出できるようになっている。
【００２４】
ここで、本実施形態では、図４にも示すように、本体ブロック１０のファン１１からヒータ１２に向かう主送風流路Ｒ１から放熱流路Ｒ２を分岐し、この放熱流路Ｒ２に静電霧化ブロック２０を配置するとともに、その放熱流路Ｒ２の放熱部２４よりも下流側を、放電極２１を通過して外方に通ずる第１分岐流路Ｒ４と、放電極２１をバイパスして外方に通ずる第２分岐流路Ｒ５と、に分岐してある。
【００２５】
放熱流路Ｒ２では、放熱部２４が最も上流側に配置されており、次いで冷却部２３、放電極２１および対向電極２２の順に下流側へと配置されており、この放熱流路Ｒ２は、放熱部２４の周囲に形成される送風流路Ｒ３を介して第１・第２分岐流路Ｒ４，Ｒ５へと通じている。
【００２６】
第１分岐流路Ｒ４には、放電極２１付近を流れる風の方向や風量を調節する風供給調節手段３０が設けてある。この風供給調節手段３０は、カバー部３２を備えるとともに開口部３１が形成されるものであり、放電極２１に至る送風流路Ｒ３の方向が一方向若しくは複数方向となるようにしてある。
【００２７】
すなわち、放熱部２４の下側の送風流路Ｒ３は放電極２１の下側に位置する開口部３１へと連通し、その開口部３１から第１分岐流路Ｒ４を流れる風は放電極２１で生成したイオンミストを乗せて放出口６から外方に放出される。送風流路Ｒ３における空気流の方向は、ハウジング２、放熱部２４、カバー部３２等の形状や、開口部３１の設定数、形状、大きさ、位置等によって定まることになる。
【００２８】
このとき、放電極２１および対向電極２２部分を覆うようにカバー部３２が設けられ、さらに、このカバー部３２は対向電極２２の裏側に対応する部位に開口部３２ａを形成した端板３２ｂを側壁３２ｃで取り囲むようにして形成されており、その側壁３２ｃの先端と放熱部２４の基端（送風流路Ｒ３の下流側）との間で開口部３１の開口面積が決定されるようになっている。
【００２９】
そして、カバー部３２は、開口部３１から導入された風がなるべく直接的には放電極２１に当たらないように、第１分岐流路Ｒ４の流れを端板３２ｂの開口部３２ａへと案内している。
【００３０】
さらに、本実施形態では、第２分岐流路Ｒ５の排出側を、本体ブロック１０の主送風流路Ｒ１に連通してある。
【００３１】
すなわち、第２分岐流路Ｒ５は、図４に示すように、カバー部３２の下部の側壁３２ｃの先端で第１分岐流路Ｒ４と分岐された後、ハウジング２とヒータ１２の外周壁１２ａとの間の隙間３３を通過して、ヒータ１２の終端部で主送風流路Ｒ１と合流させてある。
【００３２】
上記構成により、本実施形態のドライヤー１によれば、本体ブロック１０のファン１１からヒータ１２に向かう主送風流路Ｒ１から分岐した放熱流路Ｒ２に静電霧化ブロック２０を配置したので、静電霧化ブロック２０の放電極２１の周囲の空気を常に入れ換えて、冷却部２３によって放電極２１に結露する水滴を生成し易くすることができる。
【００３３】
そして、放熱流路Ｒ２の放熱部２４よりも下流側を、放電極２１を通過して外方に通ずる第１分岐流路Ｒ４と、放電極２１をバイパスして外方に通ずる第２分岐流路Ｒ５と、に分岐したため、放熱流路Ｒ２を流れる空気流の一部が第２分岐流路Ｒ５を流れ、第１分岐流路Ｒ４を経由して放電極２１にあたる流量を減らすことができ、放電極２１が加熱されて当該放電極２１によるナノメータサイズのミストの生成能力が低下するのを抑制することができる。
【００３４】
さらに、第１分岐流路Ｒ４に風供給調節手段３０を設けたので、その風供給調節手段３０によって放電極２１に至る風の方向や風量を調節することができて、放電極２１によるナノメータサイズのミストの生成安定性をより高めることができる。
【００３５】
さらにまた、風供給調節手段３０は、放電極２１に至る送風流路Ｒ３を一方向若しくは複数方向としたので、放電極２１に至る風の影響をより緻密に制御することができる。
【００３６】
また、第２分岐流路Ｒ５の排出側を本体ブロック１０の主送風流路Ｒ１に連通させたので、放熱部２４により熱影響を受けた風を静電霧化ブロック２０の周囲に滞留させることなく効率良く排出でき、放電極２１を効率良く冷却することができる。
【００３７】
（第２実施形態）図５は、本実施形態にかかるドライヤーの図４に対応した要部拡大断面図である。なお、本実施形態にかかるドライヤーは、上記第１実施形態にかかるドライヤーと同様の構成要素を有している。よって、それら同様の構成要素については共通の符号を付与するとともに、重複する説明を省略する。
【００３８】
本実施形態にかかるドライヤー１Ａは、図５に示すように、基本的に第１実施形態のドライヤー１と略同様の構成を備えており、静電霧化ブロック２０を主送風流路Ｒ１から分岐した放熱流路Ｒ２に配置するとともに、放熱流路Ｒ２の下流側を第１分岐流路Ｒ４と第２分岐流路Ｒ５とに分岐してあり、さらに、第１分岐流路Ｒ４に放電極２１に至る風の方向や風量を調節する風供給調節手段３０Ａを設けてある。
【００３９】
本実施形態では、風供給調節手段３０Ａは、さらに、放電極２１に至る送風流路Ｒ３を部分的に閉塞する第１遮蔽体３４および第２遮蔽体３４ａを含めて構成してある。
【００４０】
すなわち、第１遮蔽体３４は、カバー部３２の下部側壁３２ｃの先端部を延長するように取り付けられており、その第１遮蔽体３４によって第１分岐流路Ｒ４が導入される開口部３１の開口面積が調節される。
【００４１】
また、第２遮蔽体３４ａは、放熱部２４の上部と、その放熱部２４を囲繞する放熱流路Ｒ２のハウジング２との間の隙間３５を埋めるように取り付け、放電極２１に当たる風が下部の開口部３１を通過する第１分岐流路Ｒ４に限定されるようになっている。また、第２遮蔽体３４ａはフェルト等の弾性体を用いることが望ましい。
【００４２】
したがって、本実施形態のドライヤー１Ａによれば、第１および第２の遮蔽体３４，３４ａによって放電極２１に当たる風の方向および風量を制限することができる。つまり、開口部３１が放電極２１下部の位置以外に複数方向にある場合、放電極２１周囲の風の流れが不安定になり、静電霧化ブロック２０で生成したイオンミストが本体ブロック１０から吐出される空気の送風方向と同方向にならない場合があるが、本実施形態では、第１および第２の遮蔽体３４，３４ａによって放電極２１に当たる風の向きと風量を調節して、イオンミストの放出方向を本体ブロック１０の送風方向に略一致させることができる。
【００４３】
また、第１遮蔽体３４は、開口部３１から導入された風が放電極２１に直接的に当たるのを抑制して、冷却部２３による放電極２１の冷却効果が低下されるのを抑制し、水滴の生成が低下するのを抑制することができる。
【００４４】
ところで、本発明は上記実施形態に例をとって説明したが、これら実施形態に限ることなく本発明の要旨を逸脱しない範囲で他の実施形態を各種採用することができる。
【００４５】
例えば、ドライヤーに限らず、上述したものと同様の本体ブロックおよび静電霧化ブロックを備える場合には、ファンヒータ等の他の加熱送風装置としても本発明を実施することができる。
【図面の簡単な説明】
【００４６】
【図１】本発明の第１実施形態における加熱送風装置の一例であるドライヤーの側面図である。
【図２】本発明の第１実施形態におけるドライヤーの正面図である。
【図３】図２中Ａ−Ａ線に沿った拡大断面図である。
【図４】図３中Ｂ部の拡大断面図である。
【図５】本発明の第２実施形態におけるドライヤーの図４に対応した要部拡大断面図である。
【符号の説明】
【００４７】
１，１Ａ  ドライヤー（加熱送風装置）
２  ハウジング
４  吸入口
５  吐出口
６  イオンミストの放出口
１０  本体ブロック
１１  ファン（送風部）
１２  ヒータ（加熱部）
２０  静電霧化ブロック
２１  放電極
２２  対向電極
２３  冷却部
２４  放熱部
３０，３０Ａ  風供給調節手段
３４  第１遮蔽体
３４ａ  第２遮蔽体
Ｒ１  主送風流路
Ｒ２  放熱流路
Ｒ３  送風流路
Ｒ４  第１分岐流路
Ｒ５  第２分岐流路
【図１】
0004655945.tif 000002
【図２】
0004655945.tif 000003
【図３】
0004655945.tif 000004
【図４】
0004655945.tif 000005
【図５】
0004655945.tif 000006